(57)【要約】【課題】書き込み信号の周波数が高まっても記録媒体上に十分な強度で磁化を確立することができる薄膜磁気ヘッドを提供する。【解決手段】薄膜磁気ヘッド４２では、磁性コア５６回りで複数の薄膜コイル５４ａ、５４ｂ…が周回する。個々の薄膜コイル５４ａ、５４ｂ…ごとに電流供給回路５７ａ、５７ｂ…は接続される。１筋の薄膜コイルが利用される場合に比べて、個々の薄膜コイル５４ａ、５４ｂ…の全長は短縮される。薄膜コイル５４ａ、５４ｂ…のインピーダンスは低減される。総巻き数で単一のコイルと同数の巻き数が設定されれば、薄膜コイル５４ａ、５４ｂ…で生成される磁界の強度は十分に確保される。インピーダンスは低減されることから、単一のコイルが利用される場合に比べて短時間で書き込み電流は薄膜コイル５４ａ、５４ｂ…内に流通する。書き込み磁界の立ち上がりの鈍りは解消される。【選択図】　　　　図５
2004071113.tif 000002
【特許請求の範囲】
【請求項１】
磁性コア回りで周回する複数のコイルと、個々のコイルに接続されて、コイルに向けて書き込み電流を供給する１以上の電流供給回路とを備えることを特徴とする薄膜磁気ヘッド。
【請求項２】
請求項１に記載の薄膜磁気ヘッドにおいて、個々のコイルには個別に電流供給回路が接続されることを特徴とする薄膜磁気ヘッド。
【請求項３】
請求項２に記載の薄膜磁気ヘッドにおいて、前記電流供給回路に共通に接続されて、選択的に１以上の電流供給回路にデータ信号を供給する選択回路をさらに備えることを特徴とする薄膜磁気ヘッド。
【請求項４】
請求項３に記載の薄膜磁気ヘッドにおいて、前記選択回路に接続されて、記録媒体から読み出される読み出し信号に基づき選択回路に電流供給回路の選択を指示する判定回路をさらに備えることを特徴とする薄膜磁気ヘッド。
【請求項５】
請求項１〜４のいずれかに記載の薄膜磁気ヘッドにおいて、前記電流供給回路には、前記書き込み電流の電流値を調整する電流値制御回路が接続されることを特徴とする薄膜磁気ヘッド。
【発明の詳細な説明】
【０００１】
【発明の属する技術分野】
本発明は、例えばハードディスク駆動装置（ＨＤＤ）といった磁気記憶装置に組み込まれて、磁気記録媒体に磁気情報を書き込む薄膜磁気ヘッドに関する。
【０００２】
【従来の技術】
磁気情報の書き込みにあたって用いられる薄膜磁気ヘッドは広く知られる。この薄膜磁気ヘッドは磁性コア回りで周回する薄膜コイルパターンを備える。薄膜コイルパターンに電流が供給されると、磁性コア内で磁束が流通する。
【０００３】
薄膜磁気ヘッドは例えば磁気記憶装置に組み込まれるヘッドスライダに搭載される。ヘッドスライダは媒体対向面で例えば磁気ディスクといった記録媒体に向き合わせられる。ヘッドスライダの媒体対向面では磁性コアの先端同士すなわち上部磁極および下部磁極が相互に向き合わせられる。上部磁極および下部磁極の間には非磁性のギャップ層が挟み込まれる。こうしたギャップ層の働きで磁束は媒体対向面から漏れ出る。漏れ出る磁束で書き込み磁界は形成される。この書き込み磁界が記録媒体に作用すると、記録媒体には磁気情報が書き込まれることができる。
【０００４】
【発明が解決しようとする課題】
一般に、薄膜コイルパターンは１筋の渦巻きパターンから構成される。コイルパターンの巻き数が増加すればするほど、渦巻きパターンの全長は増大する。コイルパターンのインピーダンスは増大する。その結果、書き込み磁界の立ち上がりは鈍る。短時間で十分な強さの書き込み磁界が生成されることはできない。書き込み信号の周波数が高まれば高まるほど、書き込み磁界の強度は弱まってしまう。記録媒体では、十分な強度で磁化が確立されることはできない。
【０００５】
本発明は、上記実状に鑑みてなされたもので、書き込み信号の周波数が高まっても記録媒体上に十分な強度で磁化を確立することができる薄膜磁気ヘッドを提供することを目的とする。
【０００６】
【課題を解決するための手段】
上記目的を達成するために、本発明によれば、磁性コア回りで周回する複数のコイルと、個々のコイルに接続されて、コイルに向けて書き込み電流を供給する１以上の電流供給回路とを備えることを特徴とする薄膜磁気ヘッドが提供される。
【０００７】
かかる薄膜磁気ヘッドによれば、単一のコイルが利用される場合に比べて、個々のコイルの全長は短縮されることができる。コイルのインピーダンスは低減される。その一方で、複数のコイルの総巻き数で単一のコイルと同数の巻き数が設定されれば、コイル群で生成される磁界の強度は十分に確保される。個々のコイルごとに電流供給回路から書き込み電流が供給されることから、単一のコイルが利用される場合に比べて短時間で書き込み電流はコイル内に流通することができる。その結果、書き込み電流の反転と同時に磁性コアには比較的に早急に磁束は流通する。書き込み磁界の立ち上がりの鈍りは解消される。短時間で十分な強さの書き込み磁界は生成されることができる。書き込み指令信号の周波数が高められても記録媒体には十分な強度で磁化は確立されることができる。記録媒体では一層の記録密度の向上は実現されることができる。
【０００８】
こういった薄膜磁気ヘッドでは、個々のコイルに個別に電流供給回路が接続されればよい。ただし、任意のグループごとにコイルには電流供給回路が接続されてもよい。個々のコイルの巻き数は任意に設定されればよい。個々のコイルごとに異なる巻き数が設定されてもよい。
【０００９】
電流供給回路には選択回路が共通に接続されてもよい。こういった選択回路は選択的に１以上の電流供給回路にデータ信号を供給すればよい。一般に、各コイルと磁性コアとの距離に基づき磁性コアに生成される磁束の強度は変化する。コイルが磁性コアに近づけば近づくほど、コイルは大きな強度で磁性コアに磁界を作用させることができる。したがって、コイルに選択的に書き込み電流が供給されれば、磁性コアで流通する磁束の強度は所望通りに調整されることができる。
【００１０】
一般に、薄膜磁気ヘッドではコイルは薄膜状に形成される。磁性コアから遠ざかるにつれてコイルの全長は増大する。したがって、個々のコイルごとに書き込み磁界の立ち上がりの時期はずれることが予想される。磁性コアから遠ざかれば遠ざかるほどコイルの働きで生成される磁束の立ち上がりは鈍る。コイルに選択的に書き込み電流が供給されれば、磁性コアで流通する磁束の立ち上がりは所望通りに調整されることができる。
【００１１】
選択回路には、記録媒体から読み出される読み出し信号に基づき選択回路に電流供給回路の選択を指示する判定回路が接続されてもよい。こういった判定回路によれば、薄膜磁気ヘッドで生成される書き込み磁界は読み出し信号に基づき調整されることができる。個々のコイルで生成される磁束の強度や立ち上がりの時期は読み出し信号の出力レベルに基づきさらに高い精度で調整されることができる。
【００１２】
その他、電流供給回路には、書き込み電流の電流値を調整する電流値制御回路が接続されてもよい。電流値制御回路は、各書き込み電流の電流値を調整した後に対応するコイルに調整後の書き込み電流を供給する。こうして個々のコイルごとに電流値が設定されれば、個々のコイルで生成される磁界の強度は所望通りに調整されることができる。ここで、電流値制御回路には、前述と同様に、判定回路が接続されてもよい。この判定回路は、記録媒体から読み出される読み出し信号に基づき電流値制御回路に対して電流値の設定を指示すればよい。
【００１３】
以上のような薄膜磁気ヘッドは例えば磁気記憶装置に組み込まれて利用されることができる。こういった磁気記憶装置は、例えば、磁気記録媒体と、磁気記録媒体に向き合わせられるヘッドスライダとを備えればよい。このとき、コイルはヘッドスライダに搭載されればよい。磁気記憶装置には、ハードディスク駆動装置（ＨＤＤ）のほか、磁気ディスクや磁気テープといった磁気記録媒体を利用する様々なものが含まれることができる。
【００１４】
【発明の実施の形態】
以下、添付図面を参照しつつ本発明の一実施形態を説明する。
【００１５】
図１は磁気記憶装置の一具体例すなわちハードディスク駆動装置（ＨＤＤ）１１の内部構造を概略的に示す。このＨＤＤ１１は、例えば平たい直方体の内部空間を区画する箱形の筐体本体１２を備える。収容空間には、記録媒体としての１枚以上の磁気ディスク１３が収容される。磁気ディスク１３はスピンドルモータ１４の回転軸に装着される。スピンドルモータ１４は例えば７２００ｒｐｍや１００００ｒｐｍといった高速度で磁気ディスク１３を回転させることができる。筐体本体１２には、筐体本体１２との間で収容空間を密閉する蓋体すなわちカバー（図示されず）が結合される。
【００１６】
収容空間にはヘッドアクチュエータ１５がさらに収容される。このヘッドアクチュエータ１５は、垂直方向に延びる支軸１６に回転自在に支持されるアクチュエータブロック１７を備える。アクチュエータブロック１７には、支軸１６から水平方向に延びる剛体のアクチュエータアーム１８が規定される。アクチュエータアーム１８は磁気ディスク１３の表面および裏面ごとに配置される。アクチュエータブロック１７は例えば鋳造に基づきアルミニウムから成型されればよい。
【００１７】
アクチュエータアーム１８の先端にはヘッドサスペンション１９が取り付けられる。ヘッドサスペンション１９は、アクチュエータアーム１８の先端から前方に向かって延びる。周知の通り、ヘッドサスペンション１９の前端には浮上ヘッドスライダ２１が支持される。浮上ヘッドスライダ２１は磁気ディスク１３の表面に向き合わせられる。
【００１８】
浮上ヘッドスライダ２１には、磁気ディスク１３の表面に向かってヘッドサスペンション１９から押し付け力が作用する。磁気ディスク１３の回転に基づき磁気ディスク１３の表面で生成される気流の働きで浮上ヘッドスライダ２１には浮力が作用する。ヘッドサスペンション１９の押し付け力と浮力とのバランスで磁気ディスク１３の回転中に比較的に高い剛性で浮上ヘッドスライダ２１は浮上し続けることができる。
【００１９】
アクチュエータブロック１７には例えばボイスコイルモータ（ＶＣＭ）といった動力源２２が接続される。この動力源２２の働きでアクチュエータブロック１７は支軸１６回りで回転することができる。こうしたアクチュエータブロック１７の回転に基づきアクチュエータアーム１８およびヘッドサスペンション１９の揺動は実現される。浮上ヘッドスライダ２１の浮上中に支軸１６回りでアクチュエータアーム１８が揺動すると、浮上ヘッドスライダ２１は半径方向に磁気ディスク１３の表面を横切ることができる。こうした移動に基づき浮上ヘッドスライダ２１は所望の記録トラックに位置決めされる。周知の通り、複数枚の磁気ディスク１３が筐体本体１２内に組み込まれる場合には、隣接する磁気ディスク１３同士の間で２本のアクチュエータアーム１８すなわち２つのヘッドサスペンション１９が配置される。
【００２０】
収容空間にはフレキシブルプリント基板２３がさらに収容される。フレキシブルプリント基板２３の一端はアクチュエータブロック１７の表面に受け止められる。フレキシブルプリント基板２３の他端は、同様に収容空間内に配置される所定の回路基板２４に接続される。この回路基板２４は、例えば筐体本体１２の裏面に取り付けられるプリント基板（図示されず）に電気的に接続される。回路基板２４やプリント基板上に構築される制御回路（ＨＤＤコントローラ）の働きに基づきＨＤＤ１１の動作は制御される。制御回路は例えばＭＰＵ（マイクロプロセッサユニット）やＤＳＰ（デジタル信号処理回路）で構成されればよい。
【００２１】
フレキシブルプリント基板２３の表面にはヘッドＩＣチップ２５が実装される。ヘッドＩＣチップ２５は浮上ヘッドスライダ２１上の読み出し書き込みヘッドに電気的に接続される。こういった接続にあたって、例えばヘッドサスペンション１９の表面に形成される導電性の配線パターン（図示されず）は利用される。読み出し書き込みヘッドの詳細は後述される。
【００２２】
図２は浮上ヘッドスライダ２１の一具体例を示す。この浮上ヘッドスライダ２１は、平たい直方体に形成されるＡｌ２　Ｏ３　−ＴｉＣ（アルチック）製のスライダ本体２７を備える。スライダ本体２７の空気流出端にはＡｌ２　Ｏ３　（アルミナ）製のヘッド素子内蔵膜２８が接合される。ヘッド素子内蔵膜２８には電磁変換素子すなわち読み出し書き込みヘッド２９が埋め込まれる。スライダ本体２７およびヘッド素子内蔵膜２８には、磁気ディスク１３に対向する媒体対向面すなわち浮上面３１が規定される。
【００２３】
浮上面３１には、スライダ本体２７の空気流入端に沿って延びるフロントレール３２と、スライダ本体２７の空気流出端に隣接して広がるリアレール３３とが形成される。フロントレール３２およびリアレール３３の頂上面にはいわゆるＡＢＳ（空気軸受け面）３４、３５が規定される。ＡＢＳ３４、３５の空気流入端は段差３６、３７でレール３２、３３の頂上面に接続される。読み出し書き込みヘッド２９はＡＢＳ３５で前端を露出させる。ただし、ＡＢＳ３５の表面には、読み出し書き込みヘッド２９の前端に覆い被さるＤＬＣ（ダイヤモンドライクカーボン）保護膜が形成されてもよい。
【００２４】
磁気ディスク１３の回転に基づき生成される気流３８は浮上面３１に受け止められる。このとき、段差３６、３７の働きでＡＢＳ３４、３５には比較的に大きな正圧すなわち浮力が生成される。しかも、フロントレール３２の後方すなわち背後には大きな負圧が生成される。これら浮力および負圧のバランスに基づき浮上ヘッドスライダ２１の浮上姿勢は確立される。なお、浮上ヘッドスライダ２１の形態はこういった形態に限られるものではない。
【００２５】
図３に示されるように、読み出し書き込みヘッド２９は読み取りヘッド素子４１と誘導書き込みヘッド素子すなわち薄膜磁気ヘッド４２とを備える。読み取りヘッド素子４１には、例えば巨大磁気抵抗効果（ＧＭＲ）素子やトンネル接合磁気抵抗効果（ＴＭＲ）素子といった磁気抵抗効果（ＭＲ）素子が用いられればよい。こういった読み取りヘッド素子４１では、周知の通り、磁気ディスク１３から作用する磁界に応じて変化する抵抗に基づき２値情報は検出されることができる。薄膜磁気ヘッド４２は、後述されるように、複数の薄膜コイルで生起される磁界を利用して磁気ディスク１３に２値情報を書き込むことができる。読み取りヘッド素子４１および薄膜磁気ヘッド４２は、前述のヘッド素子内蔵膜２８の上側半層すなわちオーバーコート膜を構成するＡｌ２　Ｏ３　（アルミナ）膜４３と、下側半層すなわちアンダーコート膜を構成するＡｌ２　Ｏ３　（アルミナ）膜４４との間に挟み込まれる。
【００２６】
読み取りヘッド素子４１では、スピンバルブ膜やトンネル接合膜といった磁気抵抗効果膜４５が上下１対のシールド層４６、４７に挟み込まれる。シールド層４６、４７は例えばＦｅＮやＮｉＦｅといった磁性材料から構成されればよい。シールド層４６、４７同士の間隔は磁気ディスク１３上で記録トラックの線方向に磁気記録の分解能を決定する。
【００２７】
図４に示されるように、本発明の第１実施形態に係る薄膜磁気ヘッド４２は、シールド層４６上で任意の基準平面４８に沿って広がる下部磁極層４９を備える。この基準平面４８は、例えばシールド層４６上に均一な厚みで積層形成されるＡｌ２　Ｏ３　層といった非磁性層５１の表面で規定される。非磁性層５１はシールド層４６と下部磁極層４９との間で磁気的な結合を断ち切る。下部磁極層４９は例えばＦｅＮやＮｉＦｅから形成されればよい。
【００２８】
下部磁極層４９上には非磁性ギャップ層５２が積層形成される。非磁性ギャップ層５２上には、絶縁層５３に埋め込まれた薄膜コイル５４ａ、５４ｂ…が形成される。絶縁層５３の表面には上部磁極層５５が形成される。上部磁極層５５は例えばＦｅＮやＮｉＦｅから形成されればよい。上部磁極層５５の後端は薄膜コイル５４ａ、５４ｂ…の中心位置で下部磁極層４９の後端に磁気的に連結される。こうして上部磁極層５５と下部磁極層４９とは、薄膜コイル５４ａ、５４ｂ…の中心位置を貫通する磁性コアを形成する。
【００２９】
ＡＢＳ３５に臨む上部磁極層５５の前端と、同様にＡＢＳ３５に臨む下部磁極層４９の前端との間には非磁性ギャップ層５２が挟み込まれる。こうして書き込みギャップは形成される。非磁性ギャップ層５２の働きで、磁性コアを流通する磁束は上部磁極層５５および下部磁極層４９の前端でＡＢＳ３５から漏れ出る。こうして漏れ出る磁束の働きでギャップ磁界すなわち記録磁界は形成される。下部磁極層４９および上部磁極層５５の間には、下部磁極層４９の表面から上部磁極層５５に向かって突出する微小な下部副磁極片や、同様に上部磁極層５５の表面から下部磁極層４９に向かって突出する微小な上部副磁極片が配置されてもよい。こういった下部副磁極片や上部副磁極片の働きによれば、単純に下部磁極層４９と上部磁極層５５とが向き合う場合に比べて狭小な書き込みギャップは規定されることができる。こういった場合には、下部磁極層４９の表面と非磁性ギャップ層５２との間には例えばＡｌ２　Ｏ３　といった非磁性材料が埋め込まれればよい。
【００３０】
図５に示されるように、個々の薄膜コイル５４ａ、５４ｂ…は、下部磁極層４９から立ち上がる磁性片５６回りすなわち磁性コア回りで周回する。個々の薄膜コイル５４ａ、５４ｂ…の巻き数は任意に設定されればよい。個々の薄膜コイル５４ａ、５４ｂ…には個別に電流供給回路５７ａ、５７ｂ…が接続される。これら電流供給回路５７ａ、５７ｂ…は例えばヘッドＩＣチップ２５内に構築されればよい。各電流供給回路５７ａ、５７ｂ…には例えばＨＤＤコントローラから書き込み指令信号すなわちデータ信号が送り込まれる。各電流供給回路５７ａ、５７ｂ…は書き込み指令信号に基づき個別に書き込み電流を出力する。こうして個々の薄膜コイル５４ａ、５４ｂ…ごとに個別に書き込み電流が供給される。
【００３１】
以上のような薄膜磁気ヘッド４２によれば、薄膜コイル５４ａ、５４ｂ…群が１筋の渦巻きパターンで構成される場合に比べて個々の薄膜コイル５４ａ、５４ｂ…の全長は短縮されることができる。薄膜コイル５４ａ、５４ｂ…のインピーダンスは低減される。個々の薄膜コイル５４ａ、５４ｂ…ごとに電流供給回路５７ａ、５７ｂ…から書き込み電流が供給されることから、単一の渦巻きパターンに単一の電流供給回路が接続される場合に比べて短時間で書き込み電流は薄膜コイル５４ａ、５４ｂ…内に流通することができる。その結果、書き込み電流の反転と同時に磁性コア５６には比較的に早急に磁束は流通する。書き込み磁界の立ち上がりの鈍りは解消される。短時間で十分な強さの書き込み磁界は生成されることができる。書き込み指令信号の周波数が高められても磁気ディスク１３には十分な強度で磁化は確立されることができる。磁気ディスク１３では一層の記録密度の向上は実現されることができる。
【００３２】
図６は本発明の第２実施形態に係る薄膜磁気ヘッド４２ａの構造を概略的に示す。この第２実施形態では、選択回路すなわちセレクタ５８が複数の電流供給回路５７ａ、５７ｂ…に共通に接続される。個々の電流供給回路５７ａ、５７ｂ…にはセレクタ５８から書き込み指令信号が供給される。ここでは、セレクタ５８の働きに基づき、電流供給回路５７ａ、５７ｂ…には選択的に書き込み指令信号は供給される。その結果、薄膜コイル５４ａ、５４ｂ…には選択的に書き込み電流は供給される。図中、前述の第１実施形態と均等な構成には同一の参照符号が付される。
【００３３】
一般に、各薄膜コイル５４ａ、５４ｂ…と磁性片５６すなわち磁性コアとの距離に基づき磁性コアに生成される磁束の強度は変化する。薄膜コイル５４ａ、５４ｂ…群では、磁性片５６に近づけば近づくほど薄膜コイル５４ａ、５４ｂ…の作用は高まる。したがって、薄膜コイル５４ａ、５４ｂ…に選択的に書き込み電流が供給されれば、磁性コアで流通する磁束の強度は所望通りに調整されることができる。こういった調整は、例えばＨＤＤ１１の仕様や薄膜磁気ヘッド４２ａに要求される性能に基づき実施されればよい。
【００３４】
しかも、薄膜コイル５４ａ、５４ｂ…群では、磁性コアから遠ざかるにつれて薄膜コイル５４ａ、５４ｂ…の全長は増大する。したがって、個々の薄膜コイル５４ａ、５４ｂ…ごとに書き込み磁界の立ち上がりの時期はずれることが予想される。磁性片５６から遠ざかれば遠ざかるほど薄膜コイル５４ａ、５４ｂ…の働きで生成される磁束の立ち上がりは鈍る。薄膜コイル５４ａ、５４ｂ…に選択的に書き込み電流が供給されれば、磁性コアで流通する磁束の立ち上がりは所望通りに調整されることができる。こういった調整は、例えばＨＤＤ１１の仕様や薄膜磁気ヘッド４２ａに要求される性能に基づき実施されればよい。
【００３５】
図７は本発明の第３実施形態に係る薄膜磁気ヘッド４２ｂの構造を概略的に示す。この第３実施形態では、ゲイン制御回路５９すなわち電流値制御回路が個々の電流供給回路５７ａ、５７ｂ…に接続される。電流供給回路５７ａ、５７ｂ…から出力される書き込み電流はゲイン制御回路５９に送り込まれる。ゲイン制御回路５９は、各書き込み電流の電流値を調整した後に対応する薄膜コイル５４ａ、５４ｂ…に調整後の書き込み電流を供給する。こうして個々の薄膜コイル５４ａ、５４ｂ…ごとに電流値が設定されれば、個々の薄膜コイル５４ａ、５４ｂ…で生成される磁界の強度は所望通りに調整されることができる。図中、前述の第１実施形態と均等な構成には同一の参照符号が付される。
【００３６】
図８は本発明の第４実施形態に係る薄膜磁気ヘッド４２ｃの構造を概略的に示す。この第４実施形態では、前述のセレクタ５８およびゲイン制御回路５９が同時に複数の電流供給回路５７ａ、５７ｂ…に接続される。その結果、個々の薄膜コイル５４ａ、５４ｂ…で生成される磁束の強度や立ち上がりの時期はさらに高い精度で調整されることができる。図中、前述の第１および第２実施形態と均等な構成には同一の参照符号が付される。
【００３７】
第２〜第４実施形態に係る薄膜磁気ヘッド４２ａ〜４２ｃでは、例えば図９〜図１１に示されるように、セレクタ５８やゲイン制御回路５９に判定回路６１が接続されてもよい。この判定回路６１は、例えば読み取りヘッド素子４１で読み出される読み出し信号に基づきセレクタ５８に電流供給回路５７ａ、５７ｂ…の選択を指示したり、同様に読み出し信号に基づきゲイン制御回路５９に対して電流値の設定を指示したりすることができる。その結果、個々の薄膜コイル５４ａ、５４ｂ…で生成される磁束の強度や立ち上がりの時期は読み出し信号の出力レベルに基づきさらに高い精度で調整されることができる。図中、前述の第１〜第４実施形態と均等な構成には同一の参照符号が付される。
【００３８】
こういった判定回路６１は、例えば図１２に示されるように、読み取りヘッド素子４１で読み出される読み出し信号の振幅や半値幅と、所定の最適値とを比較する比較器６２を備える。比較器６２にはアナログデジタル（Ａ／Ｄ）変換器６３が接続される。Ａ／Ｄ変換器６３には演算回路６４が接続される。演算回路６４にはメモリ６５が接続される。比較器６２は、読み出し信号と最適値との比較差を特定する比較差信号を出力する。比較差信号はＡ／Ｄ変換器６３でデジタル信号に変換される。デジタル信号に基づき演算回路６４はメモリ６５から特定の設定値を読み出す。読み出された設定値に基づきセレクタ５８やゲイン制御回路５９の設定は確立される。
【００３９】
その他、図１３や図１４に示されるように、薄膜磁気ヘッド４２、４２ａ〜４２ｃは、磁気ディスク１３に２値情報を書き込む際に利用されるだけでなく、磁気ディスク１３から２値情報を読み出す際に利用されてもよい。この場合、例えばセレクタ５８の働きで、書き込み時と読み出し時とで薄膜コイル５４ａ、５４ｂ…の選択は変更されることができる。その他、ゲイン制御回路５９の働きで読み出し信号のレベルは調整されることができる。
【００４０】
（付記１）　磁性コア回りで周回する複数のコイルと、個々のコイルに接続されて、コイルに向けて書き込み電流を供給する１以上の電流供給回路とを備えることを特徴とする薄膜磁気ヘッド。
【００４１】
（付記２）　付記１に記載の薄膜磁気ヘッドにおいて、個々のコイルには個別に電流供給回路が接続されることを特徴とする薄膜磁気ヘッド。
【００４２】
（付記３）　付記２に記載の薄膜磁気ヘッドにおいて、前記電流供給回路に共通に接続されて、選択的に１以上の電流供給回路にデータ信号を供給する選択回路をさらに備えることを特徴とする薄膜磁気ヘッド。
【００４３】
（付記４）　付記３に記載の薄膜磁気ヘッドにおいて、前記選択回路に接続されて、記録媒体から読み出される読み出し信号に基づき選択回路に電流供給回路の選択を指示する判定回路をさらに備えることを特徴とする薄膜磁気ヘッド。
【００４４】
（付記５）　付記１〜４のいずれかに記載の薄膜磁気ヘッドにおいて、前記電流供給回路には、前記書き込み電流の電流値を調整する電流値制御回路が接続されることを特徴とする薄膜磁気ヘッド。
【００４５】
（付記６）　付記５に記載の薄膜磁気ヘッドにおいて、前記電流値制御回路に接続されて、記録媒体から読み出される読み出し信号に基づき電流値制御回路に対して電流値の設定を指示する判定回路をさらに備えることを特徴とする薄膜磁気ヘッド。
【００４６】
（付記７）　磁気記録媒体と、磁気記録媒体に向き合わせられるヘッドスライダと、ヘッドスライダに搭載されて、磁性コア回りで周回する複数のコイルと、個々のコイルに接続されて、コイルに向けて書き込み電流を供給する１以上の電流供給回路とを備えることを特徴とする磁気記憶装置。
【００４７】
（付記８）　付記７に記載の磁気記憶装置において、個々のコイルには個別に電流供給回路が接続されることを特徴とする磁気記憶装置。
【００４８】
（付記９）　付記８に記載の磁気記憶装置において、前記電流供給回路に共通に接続されて、選択的に１以上の電流供給回路にデータ信号を供給する選択回路をさらに備えることを特徴とする磁気記憶装置。
【００４９】
（付記１０）　付記９に記載の磁気記憶装置において、前記選択回路に接続されて、磁気記録媒体から読み出される読み出し信号に基づき選択回路に電流供給回路の選択を指示する判定回路をさらに備えることを特徴とする磁気記憶装置。
【００５０】
（付記１１）　付記７〜１０のいずれかに記載の磁気記憶装置において、前記電流供給回路には、前記書き込み電流の電流値を調整する電流値制御回路が接続されることを特徴とする磁気記憶装置。
【００５１】
（付記１２）　付記１１に記載の磁気記憶装置において、前記電流値制御回路に接続されて、磁気記録媒体から読み出される読み出し信号に基づき電流値制御回路に対して電流値の設定を指示する判定回路をさらに備えることを特徴とする磁気記憶装置。
【００５２】
【発明の効果】
以上のように本発明によれば、書き込み信号の周波数が高まっても記録媒体上に十分な強度で磁化を確立することができる薄膜磁気ヘッドが提供される。
【図面の簡単な説明】
【図１】磁気記録装置の一具体例すなわちハードディスク駆動装置（ＨＤＤ）の構造を概略的に示す平面図である。
【図２】一具体例に係る浮上ヘッドスライダの拡大斜視図である。
【図３】媒体対向面すなわち空気軸受け面（ＡＢＳ）から観察される読み出し書き込みヘッドの拡大正面図である。
【図４】図３の４−４線に沿った垂直断面図である。
【図５】図３の５−５線に沿った水平断面図に相当し、本発明の第１実施形態に係る薄膜磁気ヘッドの構造を概略的に示す拡大平面図である。
【図６】図５に対応し、本発明の第２実施形態に係る薄膜磁気ヘッドの構造を概略的に示す拡大平面図である。
【図７】図５に対応し、本発明の第３実施形態に係る薄膜磁気ヘッドの構造を概略的に示す拡大平面図である。
【図８】図５に対応し、本発明の第４実施形態に係る薄膜磁気ヘッドの構造を概略的に示す拡大平面図である。
【図９】図５に対応し、第２実施形態の変形例に係る薄膜磁気ヘッドの構造を概略的に示す拡大平面図である。
【図１０】図５に対応し、第３実施形態の変形例に係る薄膜磁気ヘッドの構造を概略的に示す拡大平面図である。
【図１１】図５に対応し、第４実施形態の変形例に係る薄膜磁気ヘッドの構造を概略的に示す拡大平面図である。
【図１２】一具体例に係る判定回路の構造を示すブロック図である。
【図１３】図５に対応し、他の変形例に係る薄膜磁気ヘッドの構造を概略的に示す拡大平面図である。
【図１４】図５に対応し、さらに他の変形例に係る薄膜磁気ヘッドの構造を概略的に示す拡大平面図である。
【符号の説明】
１１　磁気記憶装置としてのハードディスク駆動装置（ＨＤＤ）、１３　記録媒体としての磁気ディスク、２１　ヘッドスライダ、４２　薄膜磁気ヘッド、５４ａ〜５４ｆ　コイル、５６　磁性コア（磁性片）、５７ａ〜５７ｆ　電流供給回路、５８　選択回路（セレクタ）５９　電流値制御回路（ゲイン制御回路）、６１　判定回路。
【図１】
2004071113.tif 000003
【図２】
2004071113.tif 000004
【図３】
2004071113.tif 000005
【図４】
2004071113.tif 000006
【図５】
2004071113.tif 000007
【図６】
2004071113.tif 000008
【図７】
2004071113.tif 000009
【図８】
2004071113.tif 000010
【図９】
2004071113.tif 000011
【図１０】
2004071113.tif 000012
【図１１】
2004071113.tif 000013
【図１２】
2004071113.tif 000014
【図１３】
2004071113.tif 000015
【図１４】
2004071113.tif 000016